(57)【要約】【課題】  目頭や目尻付近のほか、疎らで短く繊細な下睫毛に対しても、十分なマスカラ液の塗布および塗布後の微調整を可能とする使い勝手のよいマスカラ塗布具の提供。【解決手段】  軸部の先端および先端近傍に複数の突起片を配列してなるコーム部を備えたマスカラ塗布具であって、前記軸部の先端近傍の一側面には前記突起片を軸部長手方向に配列してなる第一コーム部を、また、前記第一コーム部が設けられた側面に対し真裏位置の軸部側面には、前記第一コーム部に比して配列長さが短くなるように前記突起片を配列してなる第ニコーム部を、さらに、軸部の先端部には前記突起片を第一コーム部および第ニコーム部の延長線上に配列してなる先端コーム部を備えたことを特徴とするマスカラ塗布具。【選択図】  図２
2011004804.tif 000002
【特許請求の範囲】
【請求項１】
軸部の先端および先端近傍に複数の突起片を配列してなるコーム部を備えたマスカラ塗布具であって、前記軸部の先端近傍の一側面には前記突起片を軸部長手方向に配列してなる第一コーム部を、また、前記第一コーム部が設けられた側面に対し真裏位置の軸部側面には、前記第一コーム部に比して配列長さが短くなるように前記突起片を配列してなる第ニコーム部を、さらに、軸部の先端部には前記突起片を第一コーム部および第ニコーム部の延長線上に配列してなる先端コーム部を備えたことを特徴とするマスカラ塗布具。
【請求項２】
前記先端コーム部が、前記突起片を前記第一コーム部および第ニコーム部の延長線上に連続して配列することにより形成されることを特徴とする請求項１に記載のマスカラ塗布具。
【請求項３】
前記複数の突起片が、前記第一コーム部および第二コーム部では櫛歯状に、前記先端コーム部では放射状になるようにそれぞれ配列されていることを請求項１または２のいずれかに記載のマスカラ塗布具。
【請求項４】
前記軸部の少なくとも前記各コーム部を形成した部位に、軸部円周方向の溝部が形成されていることを特徴とする請求項１ないし３のいずれか１項に記載のマスカラ塗布具。
【請求項５】
前記第一コーム部の突起片の高さが、前記軸部の先端側に向けて漸次もしくは段階的に低くなるように形成されていることを特徴とする請求項１ないし４のいずれか１項に記載のマスカラ塗布具。
【請求項６】
前記複数の突起片が、軸部に１列に配列されていることを特徴とする請求項１ないし５のいずれか１項に記載のマスカラ塗布具。
【請求項７】
前記突起片が、針状もしくは板状に形成されていることを特徴とする請求項１ないし６のいずれか１項に記載のマスカラ塗布具。
【請求項８】
前記コーム部と前記軸部とが合成樹脂により一体に成形することを特徴とする請求項１ないし７のいずれか１項に記載のマスカラ塗布具。
【発明の詳細な説明】
【技術分野】
【０００１】
本発明は、軸部の先端および先端近傍にコーム部が設けられたマスカラ塗布具に関するものである。
【背景技術】
【０００２】
マスカラ塗布具によるメーキャップは、繊細な仕上げが求められる作業であり、とりわけ、目頭や目尻付近のほか、疎らで短く繊細な下睫毛に対しても、十分なマスカラ液の塗布および塗布後の微調整がメーキャップの出来を左右する重要な要素となっている。
【０００３】
そのため、十分なマスカラ液の塗布や塗布後の微調整をより容易にすべく、凹溝および櫛歯を軸方向並列に突設したマスカラ塗布具や、先端に繊維パイルを静電植毛した植毛ブラシ部を備えたマスカラ塗布具などが提案されている（特許文献１、２）。
【０００４】
ところが、特許文献１に開示されたもののように塗布部の両側に凹溝および櫛歯を設けたマスカラ塗布具では、ある程度の幅を平均的にムラ無く塗布する場合には使いやすいものの、目頭や目尻付近などの細かい部分の微調整を行うには、慣れやコツが必要であった。
【０００５】
また、特許文献２のように、先端に繊維パイルを静電植毛した植毛ブラシ部を備えたものは、かかる植毛ブラシ部自体がボリュームを有するため、疎らで短く繊細な下睫毛に対して、十分なマスカラ液の塗布および塗布後の微調整が困難な場合があった。
【先行技術文献】
【特許文献】
【０００６】
【特許文献１】特開２００５−３１９００４
【特許文献２】特開２００５−８７６３５
【発明の概要】
【発明が解決しようとする課題】
【０００７】
従って本発明は、従来のマスカラ塗布具のかかる欠点を克服し、目頭や目尻付近のほか、疎らで短く繊細な下睫毛に対しても、十分なマスカラ液の塗布および塗布後の微調整を可能とする使い勝手のよいマスカラ塗布具の提供をその課題とするものである。
【課題を解決するための手段】
【０００８】
本発明は、上記課題を解決するものであり、軸部の先端および先端近傍に複数の突起片を配列してなるコーム部を備えたマスカラ塗布具であって、前記軸部の先端近傍の一側面には前記突起片を軸部長手方向に配列してなる第一コーム部を、また、前記第一コーム部が設けられた側面に対し真裏位置の軸部側面には、前記第一コーム部に比して配列長さが短くなるように前記突起片を配列してなる第ニコーム部を、さらに、軸部の先端部には前記突起片を第一コーム部および第ニコーム部の延長線上に配列してなる先端コーム部を備えたことを特徴とするマスカラ塗布具である。
【発明の効果】
【０００９】
本発明のマスカラ塗布具は、軸部の先端近傍の両側面に設けられた配列長さが異なる二つのコーム部と、軸部先端に設けられたコーム部を、塗布する部位に応じて適宜使い分けることにより、目頭や目尻付近に加え、疎らで短く繊細な下睫毛に対しても十分なマスカラ液の塗布および塗布後の微調整が容易にできる。また、目尻部分の微調整もしやすいため、目尻を強調する化粧効果をより簡単に得ることができる。
【図面の簡単な説明】
【００１０】
【図１】本発明に係るマスカラ塗布具の側面図。
【図２】本発明に係るマスカラ塗布具の一部拡大側面図。
【図３】本発明に係るマスカラ塗布具の一部拡大正面図。
【図４】本発明に係るマスカラ塗布具の軸部断面図。
【図５】本発明に係るマスカラ塗布具の異なる実施態様の軸部断面図。
【発明を実施するための形態】
【００１１】
以下、本発明のマスカラ塗布具の実施態様を、図面に基づいて具体的に説明する。なお、本発明はこれら実施態様に何ら制約されるものではない。
【００１２】
図１は、本発明に係るマスカラ塗布具の側面図である。図中、１は軸部、２はコーム部、３はキャップ基部をそれぞれ示す。図に示すように、本発明に係るマスカラ塗布具は、軸部１の先端および先端近傍にコーム部２が形成され、軸部の基端側にはキャップを冠着するためのキャップ基部３が設けられている。
【００１３】
図２は、本発明に係るマスカラ塗布具のコーム部２における拡大側面図、図３は拡大正面図である。図に示すように、コーム部２は、複数の突起片２０が軸部１の一の側面から先端部を経て反対側の側面へと連続して配列するように形成されている。以下では、軸部１の側面に設けられたコーム部を第一コーム部２１および第ニコーム部２２、先端に設けられたコーム部を先端コーム部２３として説明する。
【００１４】
第一コーム部２１は、軸部１の一側面に、突起片２０が軸部長手方向で櫛歯状に配列するよう形成されている。第一コーム部２１における突起片２０の高さは軸部基端側では一定であるが、先端付近において徐々に低くなり、そのまま先端コーム部２３に段差無く連続するように形成されている。また、突起片２０の高さが徐々に低くなる部分では、突起片２０の先端を結んで得られた仮想傾斜線と同方向に、軸部１もわずかに傾斜している。なお、ここで、「櫛歯状」とは、複数の突起片２０が軸部１より互いに並行して立設した状態をいう。
【００１５】
第ニコーム部２２は、第一コーム部２１が設けられた側面に対し真裏位置の軸部１側面に、突起片２０が、第一コーム部の突起片２０と平行かつ櫛歯状に配列するよう設けられており、配列長さ、すなわち、突起片２０による配列の軸方向長さが第一コーム部２１に比べ、短くなるように形成されている。かかる第ニコーム部２２は、突起片２０の高さが先端側に行くに従い徐々に高くなる突起片群２２１と、ほぼ同一の高さに保たれている突起片群２２２から構成される。そして、突起片群２２２が設けられている軸部１の部位は他の先端近傍の部位に比べ軸細に形成されており、よって、突起片群２２１と突起片群２２２は先端では段差なく連続するが、突起片群２２２が軸部１の軸細部分に設けられている分、突起片群２２１に比べ、全体的に突起片２０が高くなっている。このように、第ニコーム部２２において、突起片群が高低の２つの群に形成されることにより、使用者の下睫毛等の個性に合わせて、櫛歯の長短を使い分けた微調整が容易となる。さらに、軸部１の軸細部分は、第一コーム部２１側の傾斜と同方向にわずかに傾斜しており、本発明に係るマスカラ塗布具の先端コーム部２３を使用して微調整する際に、その先端部が直接目に向かず、先端恐怖心を和らげることができる。
【００１６】
先端コーム部２３は、軸部１の先端に、複数の突起片２０を第一コーム部２１および第ニコーム部２２の延長線上に放射状に配列するよう形成されている。先端コーム部２３では、突起片２０の高さは、軸部１の先端頂部に行くほど徐々に高くなるように形成されている。
【００１７】
本実施態様では、複数の突起片２０は１列で、各コーム部において同間隔で配列されているが、この間隔は必ずしも同一でなくてもよい。また、図４の断面図に示すように、本実施態様の突起片２０は舌片状に形成されているが、この形状に限定されず、例えば、矩形、三角形、半円形、台形などの他の形状から適宜選択することができる。また、突起片２０は本実施態様のような板状に限らず、これを針状にしてもよく、その場合は、図５にように２列に配列してもよい。ただし、１列に配列した方が、突起片２０の形状の自由度が高く、より好ましい。
【００１８】
また、本実施態様のマスカラ塗布具は、軸部１のコーム部を形成した部位の突起片２０以外の部分に、軸部円周方向の溝部２４が形成されている。この溝部２４は、その凹部にマスカラ液を溜めることができるため、マスカラを塗布する際にこの溝部２４が形成された部位を使用すれば、十分な量のマスカラ液の塗布が可能となる。
【００１９】
本発明に係るマスカラ塗布具の突起片２０は、コームとしての形状、機能を保有しうるものであれば制限されないが、ポリエチレン、ポリプロピレン、ポリエチレンテレフタレート、ポリスチレンや、ＡＢＳ等の合成樹脂、ゴム、エラストマー等を好適なものとして適宜選択することができる。また、軸部１やキャップ基部３は各々別の材料で成形し、後で固着しても良いが、軸部１あるいは軸部１とキャップ基部３を突起片２０と同一材料で一体に成形すれば、部品の数を減らすことができ、コスト的にもメリットがあり、好ましい。
【００２０】
本発明に係るマスカラ塗布具の使用方法の一例は以下の通りである。まず、軸部１の溝部２４が形成されている部分で、マスカラ液を睫毛に塗布する。そして、第一コーム部２１で上睫毛を梳き、次に、第二コーム部２２で下睫毛を調整する。このとき、使用者の下睫毛等の個性に合わせて、突起片群２２１と突起片群２２２を適宜使い分ける。そして、最後に、先端コーム部２３により、目頭や目尻の塗布および全体の微調整をおこなう。
【符号の説明】
【００２１】
１  …  …  軸部
２  …  …  コーム部
３  …  …  キャップ基部
２０  …  …  突起片
２１  …  …  第一コーム部
２２  …  …  第ニコーム部
２３  …  …  先端コーム部
２４  …  …  溝部
２２１  …  …  突起片群
２２２  …  …  突起片群
【図１】
2011004804.tif 000003
【図２】
2011004804.tif 000004
【図３】
2011004804.tif 000005
【図４】
2011004804.tif 000006
【図５】
2011004804.tif 000007